(57)【特許請求の範囲】
【請求項１】
複数の端末の間でＶｏＩＰ（Ｖｏｉｃｅ  ｏｖｅｒ  Ｉｎｔｅｒｎｅｔ  Ｐｒｏｔｏｃｏｌ）通信を行う通信システムにおいて、
複数の端末の間でＳＩＰ（Ｓｅｓｓｉｏｎ  Ｉｎｉｔｉａｔｉｏｎ  Ｐｒｏｔｏｃｏｌ）通信を行うためのＳＩＰ機能部と、
通信を行う複数の端末の間で使用されるコーデックが同一であるか否かを判定するコーデック判定手段と、
前記複数の端末の間の通信に対するモニタリングを指示するモニタリング指示手段と、
前記コーデック判定手段により前記使用されるコーデックが同一ではないと判定された場合には、前記通信を行う複数の端末の間で通信されるデータをコーデック変換するコーデック変換手段と、
前記コーデック変換手段により前記モニタリング用にコーデック変換されたデータをモニタリングするモニタリング手段と、を備え、
前記コーデック判定手段により前記使用されるコーデックが同一ではないと判定された場合であって、前記モニタリング指示手段によりモニタリングが指示された場合には、前記コーデック変換手段が前記通信を行う複数の端末の間で通信されるデータを複製して、当該複製したデータをモニタリング用にコーデック変換し、
前記コーデック判定手段により前記使用されるコーデックが同一であると判定された場合であって、前記モニタリング指示手段によりモニタリングが指示された場合には、前記ＳＩＰ機能部が前記通信を行う複数の端末の間で通信されるデータを複製し、前記コーデック変換手段が前記ＳＩＰ機能部により複製されたデータをモニタリング用にコーデック変換する、
ことを特徴とする通信システム。
【請求項２】
請求項１に記載の通信システムにおいて、
当該通信システムは、当該通信システムの網とは異なる他網のシステムに接続され、
当該通信システムでは、当該通信システム側のみについてモニタリングのための処理を実行する、
ことを特徴とする通信システム。
【請求項３】
請求項１又は請求項２に記載の通信システムにおいて、
複数の端末にそれぞれ対応する複数のＳＩＰ機能部を備え、
前記コーデック判定手段により前記使用されるコーデックが同一であると判定された場合であって、前記モニタリング指示手段によりモニタリングが指示された場合には、前記通信を行う複数の端末のいずれかに対応するＳＩＰ機能部が前記通信を行う複数の端末の間で通信されるデータを複製し、前記コーデック変換手段が前記複製されたデータをモニタリング用にコーデック変換する、
ことを特徴とする通信システム。
【発明の詳細な説明】
【技術分野】
【０００１】
本発明は、通信システムに関し、特に、例えばＶｏＩＰ（Ｖｏｉｃｅ  ｏｖｅｒ  Ｉｎｔｅｒｎｅｔ  Ｐｒｏｔｏｃｏｌ）通信におけるモニタリング制御を効果的に行う通信システムに関する。
【背景技術】
【０００２】
例えば、２つの移動局（ＭＳ：Ｍｏｂｉｌｅ  Ｓｔａｔｉｏｎ）の間でＶｏＩＰ通話を行っている時に、統制局などの固定端末によりモニタリングを行う場合がある。モニタリングでは、固定端末が任意セッションから音声データを受信できるようにする。
図９には、モニタリングの一例を示してある。
具体的には、移動局２００１と基地局（ＢＳ：Ｂａｓｅ  Ｓｔａｔｉｏｎ）２００２とが無線により通信し、移動局２０１１と基地局２０１２とが無線により通信する。また、基地局２００２と基地局２０１２とが、ＳＩＰ（Ｓｅｓｓｉｏｎ  Ｉｎｉｔｉａｔｉｏｎ  Ｐｒｏｔｏｃｏｌ）機能部２００３、２０１３やコーデック変換部２０２１を介して通信する。これにより、移動局２００１と移動局２０１１とが通信（２者通話）する。
また、固定端末２０３２が、モニタリング制御部２０３１を介してモニタリングを指示することにより、移動局２００１、２０１１の間の２者通話をモニタリングする。
【０００３】
図１０には、ＩＭＳ（ＩＰ  Ｍｕｌｔｉｍｅｄｉａ  Ｓｕｂｓｙｓｔｅｍ）における２者通話から３者通話（グループ会議通話）への移行の一例を示してある。
ここで、図９におけるモニタリング指示があると、図１０に示される経路へ切り替えられる。また、図９に示されるコーデック変換部２０２１と図１０に示されるコーデック変換部３０２１、３０２２は同じものであり、図１０では表現上２つにして示してある。
具体的には、移動局３００１と無線通信する基地局３００２がＳＩＰ機能部３００３とコーデック変換部３０２１を介してモニタリング制御部３０３１と接続されるとともに、移動局３０１１と無線通信する基地局３０１２がＳＩＰ機能部３０１３とコーデック変換部３０２２を介してモニタリング制御部３０３１と接続され、固定端末３０３２はモニタリング制御部３０３１と接続される。
【０００４】
図１０に示されるような２者通話から３者通話への移行のサービスフローに沿った方法を用いる場合、モニタリング対象の音声データの経路がモニタリング制御部３０３１を中継するように経路を切り替える（張り替える）必要がある。なお、経路の切り替えは、例えば、固定端末からの指示により行われる。
しかしながら、この場合には、次のような（問題１）〜（問題２）が発生する。
（問題１）音声データの経路が切り替わるため、個別通話（２者間通話）において一瞬音声が途切れてしまう。
（問題２）モニタリングの解除後においても、モニタリング制御部を介した通信になってしまう。つまり、固定端末がモニタリングを解除しても、経路が切り替わらず、モニタリング対象外の音声データもモニタリング制御部を経由してしまう。
【０００５】
これらの問題は、音声データの経路を切り替えることに起因する。このため、これらの問題は、例えば、始めから全ての２者通話がモニタリング制御部を中継するように経路を確立すれば回避することができる。しかしながら、モニタリング対象ではない音声データもモニタリング制御部を通ることになるため、無駄が生じてしまう。
【０００６】
また、各ＳＩＰ機能部が音声データを複製してモニタリング制御部へ転送する方法も考えられる。
図１１には、ＳＩＰ機能部による音声データの複製転送の一例を示してある。
具体的には、移動局４００１と無線通信する基地局４００２と、移動局４０１１と無線通信する基地局４０１２とが、ＳＩＰ機能部４００３、４０１３やコーデック変換部４０２３を介して接続される。また、ＳＩＰ機能部４００３がコーデック変換部４０２１を介してモニタリング制御部４０３１と接続され、ＳＩＰ機能部４０１３がコーデック変換部４０２２を介してモニタリング制御部４０３１と接続され、固定端末４０３２がモニタリング制御部４０３１と接続される。
しかしながら、このような方法にも問題が生じる場合があり、例えば、ＳＩＰ機能部が存在しない他の網との接続を考慮したときなどは、他の網へのデータ複製転送を認める運用ポリシーを採れば問題とはならないが、必ずしもそのような運用ポリシーを採れるとは限らない。
【０００７】
【特許文献１】特開２００５−３４８１６３号公報
【発明の開示】
【発明が解決しようとする課題】
【０００８】
上述のように、従来の通信システムでは、例えばＶｏＩＰ通信におけるモニタリング制御に関して、不十分な点があり、更なる開発が要求されていた。
本発明は、このような従来の事情に鑑み為されたもので、例えばＶｏＩＰ通信におけるモニタリング制御を効果的に行うことができる通信システムを提供することを目的とする。
【課題を解決するための手段】
【０００９】
上記目的を達成するため、本発明では、複数の端末の間でデータの通信を行う通信システムにおいて、次のような構成とした。
すなわち、コーデック判定手段が、通信を行う複数の端末の間で使用されるコーデックが同一であるか否かを判定する。モニタリング指示手段が、前記複数の端末の間の通信に対するモニタリングを指示する。コーデック変換手段が、前記コーデック判定手段により前記使用されるコーデックが同一ではないと判定された場合には、前記通信を行う複数の端末の間で通信されるデータを（端末間通信のために）コーデック変換し、また、前記コーデック判定手段により前記使用されるコーデックが同一ではないと判定された場合であって、前記モニタリング指示手段によりモニタリングが指示された場合には、前記通信を行う複数の端末の間で通信されるデータを複製して、当該複製したデータをモニタリング用にコーデック変換する。モニタリング手段が、前記コーデック変換手段により前記モニタリング用にコーデック変換されたデータをモニタリングする。
【００１０】
従って、通信を行う複数の端末の間で使用されるコーデックが同一ではない場合であって、モニタリングが指示された場合には、コーデック変換を行う機能部が通信されるデータを複製して当該複製したデータをモニタリング用にコーデック変換することが行われるため、例えばＶｏＩＰ通信におけるモニタリング制御を効果的に行うことができる。
【００１１】
ここで、複数の端末の数としては、例えば、２つの端末の間での２者間通信が用いられるが、３つ以上の端末の間での通信に適用されてもよい。
また、各端末としては、種々なものが用いられてもよい。
また、データの通信としては、種々なものが用いられてもよく、例えば、ＶｏＩＰの音声データの通信を用いることができる。
また、通信システムとしては、例えば、有線通信のシステムに適用されてもよく、或いは、無線通信のシステムに適用されてもよく、或いは、有線通信と無線通信の両方を用いるシステムに適用されてもよい。
【００１２】
また、コーデック（符号化／復号）が同一であるか否かを判定する手法としては、例えば、コーデックの方式を検出して、検出したコーデックの方式が同一であるか否かを判定し、同一であると判定した場合にはコーデックが同一であるとし、同一ではないと判定した場合にはコーデックが同一ではないとする手法を用いることができる。
また、コーデック判定手段では、例えば、各端末がデータ通信に使用するコーデックの方式を特定する情報を記憶する記憶手段を外部又は内部に有して、その記憶内容に基づいてコーデックが同一であるか否かを判定することが行われてもよく、或いは、通信されるデータを解析等してそのデータに使用されているコーデックの方式を検出するような構成が用いられてもよい。
【００１３】
また、モニタリングの指示は、例えば、オペレータなどの人により行われてもよく、或いは、予め設定された条件に従って装置により自動的に行われてもよい。
また、モニタリングの処理としては、例えば、複数の端末の間で通信されるデータ（或いは、それと同じ内容のもの）を受信して出力するような処理を用いることができる。
【００１４】
また、コーデック変換される対象となるデータとしては、種々な形式のものが用いられてもよく、例えば、パケットのデータを用いることができる。
また、複製される対象となるデータとしては、種々な形式のものが用いられてもよく、例えば、パケットのデータを用いることができる。
また、例えば、モニタリング指示手段とモニタリング手段は、同一の装置に備えられてもよい。
【００１５】
本発明では、複数の端末の間でデータの通信を行う通信システムにおいて、次のような構成とした。
すなわち、コーデック判定手段が、通信を行う複数の端末の間で使用されるコーデックが同一であるか否かを判定する。モニタリング指示手段が、前記複数の端末の間の通信に対するモニタリングを指示する。複製手段が、前記コーデック判定手段により前記使用されるコーデックが同一であると判定された場合であって、前記モニタリング指示手段によりモニタリングが指示された場合には、前記通信を行う複数の端末の間で通信されるデータを複製する。コーデック変換手段が、前記コーデック判定手段により前記使用されるコーデックが同一であると判定された場合であって、前記モニタリング指示手段によりモニタリングが指示された場合には、前記複製手段により複製されたデータをモニタリング用にコーデック変換する。モニタリング手段が、前記コーデック変換手段により前記モニタリング用にコーデック変換されたデータをモニタリングする。
【００１６】
従って、通信を行う複数の端末の間で使用されるコーデックが同一である場合であって、モニタリングが指示された場合には、複製を行う機能部が通信されるデータを複製して、コーデック変換を行う機能部が当該複製されたデータをモニタリング用にコーデック変換することが行われるため、例えばＶｏＩＰ通信におけるモニタリング制御を効果的に行うことができる。
【００１７】
本発明では、上述したような各種の通信システムにおいて、次のような構成とした。
すなわち、当該通信システムは、当該通信システムの網とは異なる他網のシステムに接続される。当該通信システムでは、当該通信システム側のみについてモニタリングのための処理を実行する。
従って、例えば、自網の通信システムが他網のシステムに接続された場合においても、自網の通信システム側のみについてモニタリングを行うことができ、例えばＶｏＩＰ通信におけるモニタリング制御を効果的に行うことができる。
【００１８】
ここで、他網のシステムとしては、種々なものが用いられてもよい。
また、自網の通信システム側のみについてモニタリングのための処理を実行する態様としては、種々な態様が用いられてもよく、例えば、自網の通信システム内に存在する端末から送信されたデータのみについてモニタリングを行う（つまり、他網のシステム内に存在する端末から送信されたデータについてはモニタリングを行わない）態様や、或いは、自網の通信システム内に存在する端末から送信されたデータについては自網の通信システム内においてモニタリングを行うが、そのデータを他網のシステムへ送ることはしないような態様などを用いることができる。
また、他の構成例として、自網と他網の両方ともモニタリングを行うことも可能である。
【発明の効果】
【００１９】
以上説明したように、本発明に係る通信システムによると、例えばＶｏＩＰ通信におけるモニタリング制御を効果的に行うことができる。
【発明を実施するための最良の形態】
【００２０】
本発明に係る実施例を図面を参照して説明する。
図１には、本発明の一実施例に係るＩＰネットワークシステムの構成例を示してある。
本例のＩＰネットワークシステムは、移動局（ＭＳ）４０１と、当該移動局（ＭＳ）４０１と無線通信する基地局（ＢＳ）４００と、移動局（ＭＳ）４１１と、当該移動局（ＭＳ）４１１と無線通信する基地局（ＢＳ）４１０と、移動局（ＭＳ）５０１と、当該移動局（ＭＳ）５０１と無線通信する基地局（ＢＳ）５００と、移動局（ＭＳ）５１１と、当該移動局（ＭＳ）５１１と無線通信する基地局（ＢＳ）５１０と、基地局４００及び基地局４１０と接続されたＬ２スイッチ８０２と、当該Ｌ２スイッチ８０２と接続されたＷＡＮ（Ｗｉｄｅ  Ａｒｅａ  Ｎｅｔｗｏｒｋ）ルータ７０２と、基地局５００及び基地局５１０と接続されたＬ２スイッチ８０３と、当該Ｌ２スイッチ８０３と接続されたＷＡＮルータ７０３と、ＷＡＮルータ７０２及びＷＡＮルータ７０３が接続されたＷＡＮ７００を備えている。
【００２１】
また、本例のＩＰネットワークシステムは、ＷＡＮ７００に接続されたＷＡＮルータ７０１と、当該ＷＡＮルータ７０１と接続されたＬ２スイッチ８０１と、当該Ｌ２スイッチ８０１とそれぞれ接続されたアプリケーションサーバ１００、ＳＩＰサーバ２００、アクセスゲートウエイ３００、アクセスゲートウエイ３１０、統制局などからなる固定端末６００を備えている。
【００２２】
アプリケーションサーバ１００は、コーデック変換部１０１と、モニタリング制御部１０２を備えている。
ＳＩＰサーバ２００は、コーデック調整器２０１を備えている。
アクセスゲートウエイ３００は、ＳＩＰ機能部３０１と、ＳＩＰ機能部３０２を備えている。
アクセスゲートウエイ３１０は、ＳＩＰ機能部３１１と、ＳＩＰ機能部３１２を備えている。
【００２３】
ここで、各移動局４０１、４１１、５０１、５１１は、例えば、プレストーク端末又は電話端末などから構成される。
各基地局４００、４１０、５００、５１０は、例えば、１つ又は複数の移動局を収容し、移動局とＳＩＰ機能部との間のアクセスリンクを確立するために制御される。
【００２４】
コーデック変換部１０１は、例えばＶｏＩＰ通話で２者間のコーデックが異なる場合に、音声データのコーデック変換を行う。
モニタリング制御部１０２は、モニタリング対象となっている通信セッションの音声データを受信して、ミキシングする。
コーデック調整器２０１は、個別通信（２者通信）において２者間のコーデックが異なる場合に、音声データがコーデック変換部１０１を経由してコーデック変換されるように、シグナリングを制御する。
各ＳＩＰ機能部３０１、３０２、３１１、３１２は、例えば、移動局や基地局や固定端末に対するメディアフローの制御を行う。メディアフローの制御としては、帯域の割り当てや、フィルタリングや、ＱｏＳ（Ｑｕａｌｉｔｙ  ｏｆ  Ｓｅｒｖｉｃｅ）マーキングがある。本例では、各ＳＩＰ機能部３０１、３０２、３１１、３１２は、無線方式の違いによる制御データの相違を吸収し、ＳＩＰによる２者間通信やグループ通話のためのセッション制御を開始する。
固定端末６００は、例えば、有線卓などを有しており、オペレータ（人）が有線卓などを操作することにより或いは予め設定されたプログラムなどにより自動的に、モニタリング対象を指示する。
【００２５】
また、各ＳＩＰ機能部３０１、３０２、３１１、３１２は、各移動局４０１、４１１、５０１、５１１と１対１で対応しており、対応する移動局からのシグナリング信号をＳＩＰへ変換し、ＳＩＰ通信を可能とする。本例では、移動局４０１とＳＩＰ機能部３０１が対応しており、移動局４１１とＳＩＰ機能部３０２が対応しており、移動局５０１とＳＩＰ機能部３１１が対応しており、移動局５１１とＳＩＰ機能部３１２が対応している。
【００２６】
また、本例では、移動局４０１及び移動局４１１がコーデックＣ１を使用しておりアクセスゲートウエイ３００に収容されており、移動局５０１及び移動局５１１がコーデックＣ２を使用しておりアクセスゲートウエイ３１０に収容されている。
また、本例では、固定端末６００は、コーデックＣ３を使用しており、ＳＩＰセッションを開始するときは、アクセスゲートウエイを使用しないで直接ＳＩＰサーバ２００を利用する。
【００２７】
以下で、本例のＩＰネットワークシステムにおいて行われるＶｏＩＰ通話の処理の例を示す。
図２には、コーデック変換が必要な場合における２者通話のシーケンスの一例を示してある。
移動局４０１によりコーデックが異なる移動局５０１に対してセッションを確立する際、移動局４０１から基地局４００を介してＳＩＰ機能部３０１へ呼設定（ＳＥＴ  ＵＰ）メッセージが送信される。
ＳＩＰ機能部３０１は、このメッセージをＳＩＰのＩＮＶＩＴＥメッセージに変換してコーデック調整器２０１へ送信する。この際、ＳＤＰ（メッセージ）にはコーデックＣ１とＳＩＰ機能部３０１のＩＰアドレス／ポート番号を指定する。
ここで、ＳＤＰは、Ｓｅｓｓｉｏｎ  Ｄｅｓｃｒｉｐｔｉｏｎ  Ｐｒｏｔｏｃｏｌであり、マルチメディアセッションを記述するものである。
【００２８】
コーデック調整器２０１は、移動局４０１のコーデック情報Ｃ１を記憶する。このように、ＳＩＰサーバ２００のコーデック調整器２０１は、移動局４０１からコーデックが異なる移動局５０１に対してセッションを確立する際に、アクセスゲートウエイ３００のＳＩＰ機能部３０１より送信されたＩＮＶＩＴＥメッセージのＳＤＰに指定されている移動局４０１のコーデック（Ｃ１）を記憶する。また、コーデック調整器２０１は、ＳＩＰ機能部３１１へＩＮＶＩＴＥメッセージを転送する。
【００２９】
ＳＩＰ機能部３１１は、ＩＮＶＩＴＥメッセージを受信するが、予め移動局５０１のコーデック情報がＣ２であることを記憶しているため、６０６  Ｎｏｔ  Ａｃｃｅｐｔａｂｌｅメッセージでコーデック調整器２０１へ応答する。この際、ＳＤＰにはコーデックＣ２とＳＩＰ機能部３１１のＩＰアドレス／ポート番号を指定する。
このように、アクセスゲートウエイ３１０のＳＩＰ機能部３１１は、当該ＳＩＰ機能部３１１に送信されたＩＮＶＩＴＥメッセージに対して、移動局５０１のコーデック（Ｃ２）とは異なることから、ＳＤＰに移動局５０１のコーデック（Ｃ２）を指定した６０６  Ｎｏｔ  ＡｃｃｅｐｔａｂｌｅメッセージでＳＩＰサーバ２００のコーデック調整器２０１へ応答する。
【００３０】
コーデック調整器２０１は、コーデック変換部１０１にコーデック変換処理を依頼するために、コーデックＣ２とＳＩＰ機能部３１１のＩＰアドレス／ポート番号を指定したＩＮＶＩＴＥメッセージをコーデック変換部１０１へ送信する。
すると、コーデック変換部１０１は、コーデックＣ２とコーデック変換部１０１のＩＰアドレス／ポート番号を指定した２００  ＯＫメッセージで応答する。コーデック調整器２０１はコーデック変換部１０１へＡＣＫを送る。
【００３１】
また、同時に、コーデック調整器２０１は、コーデックＣ１とＳＩＰ機能部３０１のＩＰアドレス／ポート番号を指定したＩＮＶＩＴＥメッセージをコーデック変換部１０１へ送信する。
すると、コーデック変換部１０１は、コーデックＣ１とコーデック変換部１０１のＩＰアドレス／ポート番号を指定した２００  ＯＫメッセージで応答する。コーデック調整器２０１はコーデック変換部１０１へＡＣＫを送る。
【００３２】
このように、ＳＩＰサーバ２００のコーデック調整器２０１は、コーデック変換を行うために、コーデック変換部１０１に対して、ＳＤＰに移動局５０１のコーデック（Ｃ２）及びＳＩＰ機能部３１１のＩＰアドレス／ポート番号を指定したＩＮＶＩＴＥメッセージを送信すると同時に、ＳＤＰに移動局４０１のコーデック（Ｃ１）及びＳＩＰ機能部３０１のＩＰアドレス／ポート番号を指定したＩＮＶＩＴＥメッセージを送信する。
【００３３】
また、アプリケーションサーバ１００のコーデック変換部１０１は、ＳＤＰに移動局５０１のコーデック（Ｃ２）及びコーデック変換部１０１のＩＰアドレス／ポート番号を指定した２００  ＯＫメッセージでＳＩＰサーバ２００のコーデック調整器２０１へ応答すると同時に、ＳＤＰに移動局４０１のコーデック（Ｃ１）及びコーデック変換部１０１のＩＰアドレス／ポート番号を指定した２００  ＯＫメッセージでＳＩＰサーバ２００のコーデック調整器２０１へ応答する。
【００３４】
ＳＩＰサーバ２００のコーデック調整器２０１は、再び、アクセスゲートウエイ３１０のＳＩＰ機能部３１１に対して、ＳＤＰに移動局５０１のコーデックＣ２とコーデック変換部１０１のＩＰアドレス／ポート番号を指定したＩＮＶＩＴＥメッセージを送信する。
ＳＩＰ機能部３１１は、基地局５００を介して移動局５０１へ呼設定（ＳＥＴ  ＵＰ）メッセージを送信する。
これにより、移動局５０１からＳＩＰ機能部３１１への呼出（ＡＬＥＲＴ）メッセージの送信や、ＳＩＰ機能部３１１からコーデック調整器２０１への１８０  ＲＩＮＧＩＮＧメッセージの送信や、コーデック調整器２０１からＳＩＰ機能部３０１への１８０  ＲＩＮＧＩＮＧメッセージの送信や、ＳＩＰ機能部３０１から移動局４０１への呼出（ＡＬＥＲＴ）メッセージの送信が行われる。
【００３５】
移動局５０１がＳＩＰ機能部３１１へ応答メッセージ（ＣＯＮＮ）を送信すると、ＳＩＰ機能部３１１からコーデック調整器２０１へ２００  ＯＫメッセージを送信する。この際、ＳＤＰにはコーデックＣ２とＳＩＰ機能部３１１のＩＰアドレス／ポート番号を指定する。このように、アクセスゲートウエイ３１０のＳＩＰ機能部３１１は、ＳＤＰに移動局５０１のコーデック（Ｃ２）及びＳＩＰ機能部３１１のＩＰアドレス／ポート番号を指定した２００  ＯＫメッセージでＳＩＰサーバ２００のコーデック調整器２０１へ応答する。
【００３６】
コーデック調整器２０１は、ＳＤＰにコーデックＣ１とコーデック変換部１０１のＩＰアドレス／ポート番号を指定した２００  ＯＫメッセージをＳＩＰ機能部３０１へ送信して、ＳＩＰ機能部３０１から移動局４０１へ応答メッセージ（ＣＯＮＮ）を送信する。このように、ＳＩＰサーバ２００のコーデック調整器２０１は、ＳＤＰに移動局４０１のコーデック（Ｃ１）及びコーデック変換部１０１のＩＰアドレス／ポート番号を指定した２００  ＯＫメッセージでアクセスゲートウエイ３００のＳＩＰ機能部３０１へ応答する。
なお、ＳＩＰ機能部３１１からコーデック調整器２０１へＡＣＫが送信され、コーデック調整器２０１からＳＩＰ機能部３０１へＡＣＫが送信される。
【００３７】
上記の処理により、移動局４０１と移動局５０１は、通話可能状態となる。
移動局４０１からの音声データ（コーデックＣ１：コーデックＣ１を使用したものという意味、以降も同様）は、ＳＩＰ機能部３０１により音声パケット（コーデックＣ１）へ変換されて、コーデック変換部１０１へ送信される。コーデック変換部１０１は、受信した音声パケットについてコーデック変換（コーデックＣ１からコーデックＣ２への変換）を行って、その音声パケットをＳＩＰ機能部３１１へ送信（転送）する。そして、ＳＩＰ機能部３１１が、音声データ（コーデックＣ２）を移動局５０１へ送信する。
【００３８】
一方、移動局５０１からの音声データ（コーデックＣ２）は、ＳＩＰ機能部３１１により音声パケット（コーデックＣ２）へ変換されて、コーデック変換部１０１へ送信される。コーデック変換部１０１は、受信した音声パケットについてコーデック変換（コーデックＣ２からコーデックＣ１への変換）を行って、その音声パケットをＳＩＰ機能部３０１へ送信（転送）する。そして、ＳＩＰ機能部３０１が、音声データ（コーデックＣ１）を移動局４０１へ送信する。
【００３９】
図３には、コーデック変換が必要ない場合における２者通話のシーケンスの一例を示してある。
本例では、図２に示されるシーケンスと同様にコーデック調整器２０１を介してＩＮＶＩＴＥメッセージがＳＩＰ機能部３０２へ送信されるが、コーデックが同じであるため、通常のＳＩＰセッション確立シーケンスとなる。
【００４０】
具体的には、移動局４０１がＳＩＰ機能部３０１へ呼設定（ＳＥＴ  ＵＰ）メッセージを送信し、ＳＩＰ機能部３０１がコーデック調整器２０１へＳＤＰにコーデックＣ１及びＳＩＰ機能部３０１のＩＰアドレス／ポート番号を指定したＩＮＶＩＴＥメッセージを送信し、コーデック調整器２０１がＳＩＰ機能部３０２へＳＤＰにコーデックＣ１及びＳＩＰ機能部３０１のＩＰアドレス／ポート番号を指定したＩＮＶＩＴＥメッセージを送信し、ＳＩＰ機能部３０２が移動局４１１へ呼設定（ＳＥＴ  ＵＰ）メッセージを送信する。
【００４１】
移動局４１１はＳＩＰ機能部３０２へ呼出（ＡＬＥＲＴ）メッセージを送信し、ＳＩＰ機能部３０２がコーデック調整器２０１へ１８０  ＲＩＮＧＩＮＧメッセージを送信し、コーデック調整器２０１がＳＩＰ機能部３０１へ１８０  ＲＩＮＧＩＮＧメッセージを送信し、ＳＩＰ機能部３０１が移動局４０１へ呼出（ＡＬＥＲＴ）メッセージを送信する。
【００４２】
移動局４１１がＳＩＰ機能部３０２へ応答メッセージ（ＣＯＮＮ）を送信すると、ＳＩＰ機能部３０２がコーデック調整器２０１へＳＤＰにコーデックＣ１及びＳＩＰ機能部３０２のＩＰアドレス／ポート番号を指定した２００  ＯＫメッセージを送信し、コーデック調整器２０１がＳＩＰ機能部３０１へＳＤＰにコーデックＣ１及びＳＩＰ機能部３０２のＩＰアドレス／ポート番号を指定した２００  ＯＫメッセージを送信し、ＳＩＰ機能部３０１が移動局４０１へ応答メッセージ（ＣＯＮＮ）を送信する。
なお、ＳＩＰ機能部３０２からコーデック調整器２０１へＡＣＫを送信し、コーデック調整器２０１からＳＩＰ機能部３０１へＡＣＫを送信する。
【００４３】
上記の処理により、移動局４０１と移動局４１１とが、通話可能状態となる。
移動局４０１からの音声データ（コーデックＣ１）は、ＳＩＰ機能部３０１により音声パケット（コーデックＣ１）へ変換されて、ＳＩＰ機能部３０２へ送信され、ＳＩＰ機能部３０２から移動局４１１へ音声データ（コーデックＣ１）が送信される。
一方、移動局４１１からの音声データ（コーデックＣ１）は、ＳＩＰ機能部３０２により音声パケット（コーデックＣ１）へ変換されて、ＳＩＰ機能部３０１へ送信され、ＳＩＰ機能部３０１から移動局４０１へ音声データ（コーデックＣ１）が送信される。
【００４４】
図４には、コーデック変換を行っている２者通話におけるモニタリングのシーケンスの一例を示してある。
図２に示されるように、移動局４０１と移動局５０１とが通話可能状態であるとする。
具体的には、移動局４０１からの音声データ（コーデックＣ１）が、ＳＩＰ機能部３０１により音声パケット（コーデックＣ１）へ変換されて、コーデック変換部１０１へ送信される。コーデック変換部１０１は、受信した音声パケットについてコーデック変換（コーデックＣ１からコーデックＣ２への変換）を行って、その音声パケットをＳＩＰ機能部３１１へ送信（転送）する。そして、ＳＩＰ機能部３１１が、音声データ（コーデックＣ２）を移動局５０１へ送信する。
【００４５】
一方、移動局５０１からの音声データ（コーデックＣ２）が、ＳＩＰ機能部３１１により音声パケット（コーデックＣ２）へ変換されて、コーデック変換部１０１へ送信される。コーデック変換部１０１は、受信した音声パケットについてコーデック変換（コーデックＣ２からコーデックＣ１への変換）を行って、その音声パケットをＳＩＰ機能部３０１へ送信（転送）する。そして、ＳＩＰ機能部３０１が、音声データ（コーデックＣ１）を移動局４０１へ送信する。
【００４６】
このとき、固定端末６００が移動局４０１と移動局５０１の通話をモニタリングする際には、固定端末６００から送信されたＩＮＶＩＴＥメッセージがＳＩＰサーバ２００を介してモニタリング制御部１０２へ送信（転送）される。この際、ＩＮＶＩＴＥメッセージのＳＤＰにはコーデックＣ３と固定端末６００のＩＰアドレス／ポート番号が指定される。
【００４７】
モニタリング制御部１０２は、ＩＮＶＩＴＥメッセージをコーデック調整器２０１へ送信（転送）する。この際、ＳＤＰにはコーデックＣ３とモニタリング制御部１０２のＩＰアドレス／ポート番号が指定される。
このように、本例では、アプリケーションサーバ１００のモニタリング制御部１０２が、移動局４０１と移動局５０１の通話がコーデック変換を行っているか否かを確認するために、コーデック調整器２０１へｊｏｉｎ  ｅｖｅｎｔを指定したＩＮＶＩＴＥメッセージを送信する。
【００４８】
コーデック調整器２０１は、モニタリングを行う２者通話でコーデック変換が行われていると判断すると、受信したＩＮＶＩＴＥメッセージの送信先を変更させるために、３０２  Ｍｏｖｅｄ  Ｔｅｍｐｏｒａｒｙメッセージをモニタリング制御部１０２へ送信する。この際、Ｃｏｎｔａｃｔヘッダにコーデック変換部１０１のＳＩＰ  ＵＲＩを指定する。
ここで、ＵＲＩは、Ｕｎｉｆｏｒｍ  Ｒｅｓｏｕｒｃｅ  Ｉｄｅｎｔｉｆｉｅｒであり、通信リソースの識別子である。
このように、ＳＩＰサーバ２００のコーデック調整器２０１は、移動局４０１と移動局５０１の通話でコーデック変換が行われている場合には、Ｃｏｎｔａｃｔヘッダにコーデック変換部１０１のＳＩＰ  ＵＲＩを指定した３０２  Ｍｏｖｅｄ  Ｔｅｍｐｏｒａｒｙメッセージでモニタリング制御部１０２へ応答する。
なお、モニタリング制御部１０２は、コーデック調整器２０１へＡＣＫを送信する。
【００４９】
モニタリング制御部１０２は、ＩＮＶＩＴＥメッセージの宛先をコーデック変換部１０１に変更して、ＳＤＰに固定端末６００のコーデックＣ３とモニタリング制御部１０２のＩＰアドレス／ポート番号を指定したＩＮＶＩＴＥメッセージをコーデック変換部１０１へ送信する。
コーデック変換部１０１は、ＳＤＰに固定端末６００のコーデックＣ３とコーデック変換部１０１のネットワーク情報（ＩＰアドレス／ポート番号）を指定した２００  ＯＫメッセージをモニタリング制御部１０２へ送信する。
なお、モニタリング制御部１０２は、コーデック変換部１０１へＡＣＫを送信する。
【００５０】
モニタリング制御部１０２は、固定端末６００に対して、ＳＤＰに固定端末６００のコーデックＣ３とモニタリング制御部１０２のネットワーク情報（ＩＰアドレス／ポート番号）を指定した２００  ＯＫメッセージを送信して応答する。
なお、固定端末６００は、モニタリング制御部１０２へＡＣＫを送信する。
【００５１】
上記の処理により、固定端末６００により２者間通話をモニタリング可能な状態となる。
移動局４０１からの音声データ（コーデックＣ１）は、ＳＩＰ機能部３０１で音声パケット（コーデックＣ１）へ変換されて、コーデック変換部１０１へ送信される。
【００５２】
コーデック変換部１０１は、受信した音声パケットについてコーデック変換（コーデックＣ１からコーデックＣ２への変換）を行って、その音声パケット（コーデックＣ２）をＳＩＰ機能部３１１へ送信（転送）する。この音声パケット（コーデックＣ２）は、ＳＩＰ機能部３１１により音声データ（コーデックＣ２）へ変換されて、移動局５０１へ送信される。
また、同時に、コーデック変換部１０１は、受信した音声パケットを複製して、複製した音声パケットについてコーデック変換（コーデックＣ１からコーデックＣ３への変換）を行って、その音声パケット（コーデックＣ３）をモニタリング制御部１０２へ送信（転送）する。
【００５３】
一方、移動局５０１からの音声データ（コーデックＣ２）は、ＳＩＰ機能部３１１で音声パケット（コーデックＣ２）へ変換されて、コーデック変換部１０１へ送信される。
コーデック変換部１０１は、受信した音声パケットについてコーデック変換（コーデックＣ２からコーデックＣ１への変換）を行って、その音声パケット（コーデックＣ１）をＳＩＰ機能部３０１へ送信（転送）する。この音声パケット（コーデックＣ１）は、ＳＩＰ機能部３０１により音声データ（コーデックＣ１）へ変換されて、移動局４０１へ送信される。
【００５４】
また、同時に、コーデック変換部１０１は、受信した音声パケットを複製して、複製した音声パケットについてコーデック変換（コーデックＣ２からコーデックＣ３への変換）を行って、その音声パケット（コーデックＣ３）をモニタリング制御部１０２へ送信（転送）する。
モニタリング制御部１０２は、受信した２つの音声パケット（コーデックＣ３）を合成して、固定端末６００へ送信（転送）する。
【００５５】
このように、アプリケーションサーバ１００のコーデック変換部１０１は、移動局４０１と移動局５０１との間でのコーデック変換を行う際に、固定端末６００のコーデック変換も行ってその音声データをモニタリング制御部１０２へ転送する。
また、アプリケーションサーバ１００のモニタリング制御部１０２は、コーデック変換された移動局４０１及び移動局５０１からの音声データをミキシングして固定端末６００へ転送する。
【００５６】
図５には、コーデック変換を行っていない２者通話におけるモニタリングのシーケンスの一例を示してある。
図３に示されるように、移動局４０１と移動局４１１とが通話可能状態であるとする。
具体的には、移動局４０１からの音声データ（コーデックＣ１）が、ＳＩＰ機能部３０１により音声パケット（コーデックＣ１）へ変換されて、ＳＩＰ機能部３０２へ送信され、ＳＩＰ機能部３０２から移動局４１１へ音声データ（コーデックＣ１）が送信される。
一方、移動局４１１からの音声データ（コーデックＣ１）が、ＳＩＰ機能部３０２により音声パケット（コーデックＣ１）へ変換されて、ＳＩＰ機能部３０１へ送信され、ＳＩＰ機能部３０１から移動局４０１へ音声データ（コーデックＣ１）が送信される。
【００５７】
このとき、固定端末６００が移動局４０１と移動局４１１の通話をモニタリングする際には、固定端末６００から送信されたＩＮＶＩＴＥメッセージがＳＩＰサーバ２００を介してモニタリング制御部１０２へ送信（転送）される。この際、ＩＮＶＩＴＥメッセージのＳＤＰにはコーデックＣ３と固定端末６００のＩＰアドレス／ポート番号が指定される。
【００５８】
モニタリング制御部１０２は、ＩＮＶＩＴＥメッセージをコーデック調整器２０１へ送信（転送）する。この際、ＳＤＰにはコーデックＣ３とモニタリング制御部１０２のＩＰアドレス／ポート番号が指定される。
このように、本例では、アプリケーションサーバ１００のモニタリング制御部１０２が、移動局４０１と移動局４１１の通話がコーデック変換を行っているか否かを確認するために、コーデック調整器２０１へｊｏｉｎ  ｅｖｅｎｔを指定したＩＮＶＩＴＥメッセージを送信する。
【００５９】
コーデック調整器２０１は、モニタリングを行う２者通話でコーデック変換が行われていないと判断すると、コーデック変換部１０１にコーデック変換処理を依頼するために、ＳＤＰにコーデックＣ３とモニタリング制御部１０２のＩＰアドレス／ポート番号を指定したＩＮＶＩＴＥメッセージをコーデック変換部１０１へ送信する。
コーデック変換部１０１は、ＳＤＰに固定端末６００のコーデックＣ３とコーデック変換部１０１のＩＰアドレス／ポート番号を指定した２００  ＯＫメッセージでコーデック調整器２０１へ応答する。
なお、コーデック調整器２０１は、コーデック変換部１０１へＡＣＫを送信する。
【００６０】
また、同時に、コーデック調整器２０１は、ＳＤＰにコーデックＣ１とＳＩＰ機能部３０１のＩＰアドレス／ポート番号を指定したＩＮＶＩＴＥメッセージをコーデック変換部１０１へ送信する。
コーデック変換部１０１は、ＳＤＰにコーデックＣ１とコーデック変換部１０１のネットワーク情報（ＩＰアドレス／ポート番号）を指定した２００  ＯＫメッセージでコーデック調整器２０１へ応答する。
なお、コーデック調整器２０１は、コーデック変換部１０１へＡＣＫを送信する。
【００６１】
このように、ＳＩＰサーバ２００のコーデック調整器２０１は、移動局４０１と移動局５０１の通話でコーデック変換が行われていない場合には、固定端末６００のモニタリング用にコーデック変換が必要であるか否かを判断する。
そして、コーデック調整器２０１は、固定端末６００のモニタリング用にコーデック変換が必要であると判断したときには、コーデック変換部１０１に対して、ＳＤＰに固定端末６００のコーデック（Ｃ３）及びモニタリング制御部１０２のＩＰアドレス／ポート番号を指定したＩＮＶＩＴＥメッセージを送信すると同時に、ＳＤＰにＳＩＰ機能部３０１のコーデック（Ｃ１）及びＳＩＰ機能部３０１のＩＰアドレス／ポート番号を指定したＩＮＶＩＴＥメッセージを送信する。
【００６２】
また、アプリケーションサーバ１００のコーデック変換部１０１は、ＳＤＰに固定端末６００のコーデック（Ｃ３）及びコーデック変換部１０１のＩＰアドレス／ポート番号を指定した２００  ＯＫメッセージでＳＩＰサーバ２００のコーデック調整器２０１へ応答すると同時に、ＳＤＰにＳＩＰ機能部３０１のコーデック（Ｃ１）及びコーデック変換部１０１のＩＰアドレス／ポート番号を指定した２００  ＯＫメッセージでＳＩＰサーバ２００のコーデック調整器２０１へ応答する。
【００６３】
コーデック調整器２０１は、ＳＤＰにコーデックＣ１とコーデック変換部１０１のＩＰアドレス／ポート番号を指定したＩＮＶＩＴＥメッセージをＳＩＰ機能部３０１へ送信する。
ＳＩＰ機能部３０１は、ＳＤＰにコーデックＣ１とＳＩＰ機能部３０１のＩＰアドレス／ポート番号を指定した２００  ＯＫメッセージをコーデック調整器２０１へ送信する。
【００６４】
コーデック調整器２０１は、受信したメッセージを、ＳＤＰに固定端末６００のコーデックＣ３とコーデック変換部１０１のＩＰアドレス／ポート番号を指定した２００  ＯＫメッセージへ変換して、モニタリング制御部１０２へ送信して応答する。このように、ＳＩＰサーバ２００のコーデック調整器２０１は、受信した２００  ＯＫメッセージをモニタリング制御部１０２へ転送する。
【００６５】
モニタリング制御部１０２は、受信したメッセージを、ＳＤＰにコーデックＣ３とモニタリング制御部１０２のＩＰアドレス／ポート番号を指定した２００  ＯＫメッセージへ変換して、固定端末６００へ送信する。
なお、固定端末６００からモニタリング制御部１０２へＡＣＫが送信され、モニタリング制御部１０２からコーデック調整器２０１へＡＣＫが送信され、コーデック調整器２０１からＳＩＰ機能部３０１へＡＣＫが送信される。
【００６６】
上記の処理により、固定端末６００により２者間通話をモニタリング可能な状態となる。
移動局４０１からの音声データ（コーデックＣ１）は、ＳＩＰ機能部３０１で音声パケット（コーデックＣ１）へ変換されて、ＳＩＰ機能部３０２へ送信（転送）される。この音声パケット（コーデックＣ１）は、ＳＩＰ機能部３０２で音声データ（コーデックＣ１）へ変換されて、移動局４１１へ送信される。
【００６７】
また、同時に、ＳＩＰ機能部３０１は、変換した音声パケット（コーデックＣ１）を複製して、複製した音声パケット（コーデックＣ１）をコーデック変換部１０１へ送信（転送）する。
コーデック変換部１０１に転送された音声パケット（コーデックＣ１）は、コーデック変換部１０１によりコーデック変換（コーデックＣ１からコーデックＣ３への変換）が行われて、変換後の音声パケット（コーデックＣ３）がモニタリング制御部１０２へ送信（転送）される。
【００６８】
一方、移動局４１１からの音声データ（コーデックＣ１）は、ＳＩＰ機能部３０２で音声パケット（コーデックＣ１）へ変換されて、ＳＩＰ機能部３０１へ送信（転送）される。この音声パケット（コーデックＣ１）は、ＳＩＰ機能部３０１で音声データ（コーデックＣ１）へ変換されて、移動局４０１へ送信される。
【００６９】
また、同時に、ＳＩＰ機能部３０１は、音声パケット（コーデックＣ１）を複製して、複製した音声パケット（コーデックＣ１）をコーデック変換部１０１へ送信（転送）する。
コーデック変換部１０１に転送された音声パケット（コーデックＣ１）は、コーデック変換部１０１によりコーデック変換（コーデックＣ１からコーデックＣ３への変換）が行われて、変換後の音声パケット（コーデックＣ３）がモニタリング制御部１０２へ送信（転送）される。
【００７０】
モニタリング制御部１０２は、受信した２つの音声パケット（コーデック３）を合成して、固定端末６００へ送信（転送）する。
このように、本例では、アクセスゲートウエイ３００のＳＩＰ機能部３０１が、移動局４０１からの音声データ（音声パケット）及び移動局４１１からの音声データ（音声パケット）をコーデック変換部１０１へ送信することにより、モニタリングを行う。
ここで、本例では、ＳＩＰ機能部３０１が音声パケットを複製する構成としたが、他の構成例として、ＳＩＰ機能部３０１の代わりに、ＳＩＰ機能部３０２が音声パケットを複製する構成とすることも可能である。
【００７１】
以上のように、本例のＩＰネットワークシステムでは、端末（本例では、移動局４０１、４１１、５０１、５１１）間のコーデックが同一であるか否かを判断し、同一でない場合には、コーデック変換部１０１によりコーデック変換を行い端末間で通信を行い、端末間で通信中に固定端末（例えば、統制局など）６００からモニタリングの指示があると、コーデック変換部１０１にて音声パケットを複製（コピー）して、モニタリング用のコーデックに変換してモニタリング装置（本例では、固定端末６００）へ送信する。
【００７２】
また、本例のＩＰネットワークシステムでは、端末（本例では、移動局４０１、４１１、５０１、５１１）間のコーデックが同一であるか否かを判断し、同一である場合には、コーデック変換を行わず端末間で通信を行い、端末間で通信中に固定端末（例えば、統制局など）６００からモニタリングの指示があると、端末に対応したＳＩＰ機能部にて音声パケットを複製（コピー）し、コーデック変換部１０１にてモニタリング用のコーデックに変換してモニタリング装置（本例では、固定端末６００）へ送信する。
【００７３】
また、本例のＩＰネットワークシステムでは、自網システムと他網システムで構成されるシステムにおいて、自網システム側の端末（本例では、移動局４０１、４１１、５０１、５１１）のみ音声パケットを複製（コピー）して、モニタリング用のコーデックに変換してモニタリング装置（本例では、固定端末６００）へ送信する。
【００７４】
従って、本例のＩＰネットワークシステムでは、モニタリングを行う際に、端末間が同一のコーデックを使用しているか或いは別のコーデックを使用しているかを判別し、その判別結果に応じてモニタリング制御するため、不要なコーデック変換をする必要が無い。また、本例では、コーデックが同一であるか否かによって、音声パケットを複製（コピー）する機能部も異なっている。
【００７５】
また、本例のＩＰネットワークシステムでは、例えば、ＶｏＩＰシステムで２者間で通信を行っている場合に、第３者（例えば、統制局などの固定端末６００）からモニタリング指示があったときには、２者間の音声パケットをコピーして、必要に応じて当該第３者用のコーデックに変換して音声パケットを送信することで、２者間の通信をモニタリング制御することができる。
これにより、本例のＩＰネットワークシステムでは、第３者によりモニタリングを行う際に、音声の途切れや、モニタリング対象外の音声がモニタリング制御部１０２を経由することを無くすことができる。
【００７６】
具体的には、本例のＩＰネットワークシステムでは、例えば従来技術のように経路を切り替えることを行わず、システム中のコーデック変換部１０１やＳＩＰ機能部（ＳＩＰ通信を可能にする機能部）３０１、３０２、３１１、３１２により音声パケットを複製（コピー）し、必要に応じて第３者用（モニタリング用）のコーデックに変換した音声パケットを送信することにより、経路の切り替えや通話の途切れを無くして、２者間通話のモニタリングを行うことを可能とすることができる。
【００７７】
また、本例のＩＰネットワークシステムでは、他網との接続の際にも、他網側のコーデックが自網側のコーデックと同一であるか否かを判断し、その判断結果に応じてモニタリング制御するため、必要なコーデック変換のみを行って、モニタリングすることが可能となる。
更に、他網システムの運用ポリシーで第３者（例えば、統制局などの固定端末６００）に２者間通話の内容を聞かれたくない場合には、自網側のみモニタリングする制御を行うことができるため、他網システムの運用ポリシーに左右されることなく、自網側のみをモニタリングすることができる。
【００７８】
このように、本例のＩＰネットワークシステムでは、ＶｏＩＰ通信におけるモニタリング制御を効果的に行うことができ、例えば、従来技術の問題点であるＶｏＩＰ通信のモニタリングを行う際に通話品質とモニタリングの音質に影響を与えるという問題を解消することができる。
【００７９】
以下で、本例の効果の具体例を示しておく。なお、本例の効果は、必ずしも、以下のものに限定されるものではない。
（効果例１）２者通話中に固定端末６００によりモニタリングを行っても、音声データの経路を切り替えることが無くなるため、音声が途切れることが無くなる。
（効果例２）モニタリングを解除しても、音声データの経路を切り替えることなく、モニタリング前の２者通話に戻すことが可能となる。
【００８０】
（効果例３）２者通話間でコーデック変換を行っていても、コーデック変換部１０１からコーデック変換した音声データをモニタリング制御部１０２へ転送することにより、モニタリングが可能となる。
図６には、端末間のコーデックが相違する場合について、コーデック変換中の２者通話におけるモニタリング制御の一例を示してある。これは、図４に示されるフローチャートに対応するものである。
具体的には、移動局４０１と移動局５０１とが基地局４００、５００やＳＩＰ機能部３０１、３１１やコーデック変換部１０１を介してＶｏＩＰの２者間通話を行い、コーデック変換部１０１がモニタリング制御部１０２へコーデック変換した音声データを転送することにより、固定端末６００がモニタリング制御部１０２を介して２者間通話をモニタリングする。
【００８１】
（効果例４）２者通話間でコーデック変換が行われていない場合には、ＳＩＰ機能部３０１、３０２、３１１、３１２からコーデック変換部１０１を介してモニタリング制御部１０２へ音声データを転送することにより、モニタリングが可能となる。
図７には、端末間のコーデックが同一である場合について、コーデック変換無しの２者通話におけるモニタリング制御の一例を示してある。これは、図５に示されるフローチャートに対応するものである。
具体的には、移動局４０１と移動局４１１とが基地局４００、４１０やＳＩＰ機能部３０１、３０２を介してＶｏＩＰの２者間通話を行い、片方のＳＩＰ機能部３０１がコーデック変換部１０１へ音声データ（送受信データ）を送信（転送）し、コーデック変換部１０１がモニタリング制御部１０２へコーデック変換した音声データを転送することにより、固定端末６００がモニタリング制御部１０２を介して２者間通話をモニタリングする。
【００８２】
（効果例５）他網に接続された場合においても、他網における移動端末や固定端末と運用ポリシーに関係なく、本システム側でモニタリングを行うことが可能である。
図８には、他網に接続された場合について、自網と他網で構成されるシステムにおけるモニタリング制御の一例を示してある。
具体的には、自網のシステム（本例のＩＰネットワークシステム）では、移動局４０１が基地局４００を介してＳＩＰ機能部３０１と通信する。他網１０００のシステムでは、移動局１００３が基地局１００２を介してＳＩＰサーバ１００１と通信する。そして、自網のシステムの移動局４０１と他網１０００のシステムの移動局１００３とが通信して２者間通話を行う。
【００８３】
この場合に、２者間通話でコーデック変換が行われるときには、自網のＳＩＰ機能部３０１と他網１０００のＳＩＰサーバ１００１との間を中継する自網のコーデック変換部１０１ａ（例えば、コーデック変換部１０１）とモニタリング制御部１０２とが通信することにより、固定端末６００がモニタリング制御部１０２を介して２者間通話（例えば、自網システム側のみ）をモニタリングする。
一方、２者間通話でコーデック変換が行われないときには、自網のＳＩＰ機能部３０１が自網のコーデック変換部１０１ｂ（例えば、コーデック変換部１０１）を介してモニタリング制御部１０２と通信することにより、固定端末６００がモニタリング制御部１０２を介して２者間通話（例えば、自網システム側のみ）をモニタリングする。
このように、２者間通話におけるコーデック変換の有無に応じて、いずれか片方の接続状態を確立する。
【００８４】
なお、本例のＩＰネットワークシステム（通信システムの一例）では、例えば、移動局４０１、４１１、５０１、５１１が端末に相当し、コーデック調整器２０１の機能によりコーデック判定手段が構成されており、固定端末６００の機能やモニタリング制御部１０２の機能によりモニタリング指示手段やモニタリング手段が構成されており、コーデック変換部１０１の機能によりコーデック変換手段が構成されており、コーデック変換部１０１やＳＩＰ機能部３０１、３０２、３１１、３１２の機能により複製手段が構成されている。
【００８５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００８６】
【図１】本発明の一実施例に係るＩＰネットワークシステムの構成例を示す図である。
【図２】コーデック変換が必要な場合における２者通話のシーケンスの一例を示す図である。
【図３】コーデック変換が必要ない場合における２者通話のシーケンスの一例を示す図である。
【図４】コーデック変換を行っている２者通話におけるモニタリングのシーケンスの一例を示す図である。
【図５】コーデック変換を行っていない２者通話におけるモニタリングのシーケンスの一例を示す図である。
【図６】コーデック変換中の２者通話におけるモニタリング制御の一例を示す図である。
【図７】コーデック変換無しの２者通話におけるモニタリング制御の一例を示す図である。
【図８】自網と他網で構成されるシステムにおけるモニタリング制御の一例を示す図である。
【図９】背景技術に係るモニタリングの一例を示す図である。
【図１０】背景技術に係る２者通話から３者通話への移行の一例を示す図である。
【図１１】背景技術に係るＳＩＰ機能部による音声データの複製転送の一例を示す図である。
【符号の説明】
【００８７】
１００・・アプリケーションサーバ、  １０１、１０１ａ、１０１ｂ、２０２１、３０２１、３０２２、４０２１〜４０２３・・コーデック変換部、  １０２、２０３１、３０３１、４０３１・・モニタリング制御部、  ２００、１００１・・ＳＩＰサーバ、  ２０１・・コーデック調整器、  ３００、３１０・・アクセスゲートウエイ、  ３０１、３０２、３１１、３１２、２００３、２０１３、３００３、３０１３、４００３、４０１３・・ＳＩＰ機能部、  ４００、４１０、５００、５１０、１００２、２００２、２０１２、３００２、３０１２、４００２、４０１２・・基地局（基地局装置）、  ４０１、４１１、５０１、５１１、１００３、２００１、２０１１、３００１、３０１１、４００１、４０１１・・移動局（移動局装置）、  ６００、２０３２、３０３２、４０３２・・固定端末、  ７００・・ＷＡＮ、  ７０１〜７０３・・ＷＡＮルータ、  ８０１〜８０３・・Ｌ２スイッチ、  １０００・・他網、
【図１】
0005311454.tif 000002
【図２】
0005311454.tif 000003
【図３】
0005311454.tif 000004
【図４】
0005311454.tif 000005
【図５】
0005311454.tif 000006
【図６】
0005311454.tif 000007
【図７】
0005311454.tif 000008
【図８】
0005311454.tif 000009
【図９】
0005311454.tif 000010
【図１０】
0005311454.tif 000011
【図１１】
0005311454.tif 000012